(57)【要約】【課題】  凹凸部分や他の配管類が配されるなどして、平坦な面の壁ではない場合でも、配管類をそのままにしてスペースユニットを組み立てることが正確で容易でしかも早く行うことができるスペースユニットの取り付け方法及び取り付け構造を提供すること。【解決手段】  台所の壁に対してコ字状のスペーサを、高さ方向と幅方向に複数並べた状態で、かつ、中央連結部分が外側にくるように一方辺を壁に接して取り付けた後、スペースユニットの側面板を、前記高さ方向に並べたスペーサの中央連結部分と接するように取り付けると共に、スペースユニットの天板を、前記幅方向に並べたスペーサの中央連結部分と接するように取り付け、更にスペースユニットの正面板については、その側縁部と上縁部を前記高さ方向と幅方向に並べたコ字状スペーサの他方辺に取り付けてスペースユニットを組み立てた。【選択図】  図１
2012157707.tif 000002
【特許請求の範囲】
【請求項１】
台所に壁付型のキッチンユニットを取り付ける際、キッチンユニットの背面側に配管スペースを形成するためのスペースユニットを台所の壁に取り付ける方法、或いは、壁付型キッチンから対面式キッチンにリフォームする際、元のキッチンユニットを除去して露出した配管類を覆い隠すためのスペースユニットを台所の壁に取り付ける方法において、
台所の壁に対して、対向する一方辺と他方辺、及びこれらを連結する中央連結部分から成る断面がコ字状のスペーサを、高さ方向と幅方向に複数並べた状態で、かつ、中央連結部分が外側にくるように一方辺を壁に接して取り付けた後、
スペースユニットの側面板を、前記高さ方向に並べたスペーサの中央連結部分と接するように取り付けると共に、スペースユニットの天板を、前記幅方向に並べたスペーサの中央連結部分と接するように取り付け、更にスペースユニットの正面板については、その側縁部と上縁部を前記高さ方向と幅方向に並べたコ字状スペーサの他方辺に取り付けてスペースユニットを組み立てることを特徴とするスペースユニットの取り付け方法。
【請求項２】
台所の壁に取り付ける一方辺が他方辺よりも長く形成されているスペーサを使用することを特徴とする請求項１記載のスペースユニットの取り付け方法。
【請求項３】
スペースユニットの側面板と天板と正面板、及びスペーサの材質を木製に合わせることを特徴とする請求項１または２に記載のスペースユニットの取り付け方法。
【請求項４】
台所に壁付型のキッチンユニットを取り付ける際、キッチンユニットの背面側に配管スペースを形成するためのスペースユニットを台所の壁に取り付ける方法、或いは、壁付型キッチンから対面式キッチンにリフォームする際、元のキッチンユニットを除去して露出した配管類を覆い隠すためのスペースユニットを台所の壁に取り付ける方法において、
台所の壁に対して、直角を成す二辺を有する断面がＬ字状のスペーサを、高さ方向と幅方向に複数並べた状態で、かつ、一辺が外側にくるようにもう一辺を壁に接して取り付けた後、
スペースユニットの側面板を、前記高さ方向に並べたスペーサの一辺と接するように取り付けると共に、スペースユニットの天板を、前記幅方向に並べたスペーサの一辺と接するように取り付け、更にスペースユニットの正面板については、その側縁部と上縁部を前記高さ方向と幅方向に並べたＬ字状スペーサの一辺の端面に取り付けてスペースユニットを組み立てることを特徴とするスペースユニットの取り付け方法。
【請求項５】
台所に対面式のキッチンユニットを取り付ける際、キッチンユニットの背面側に配管スペースを形成するためのスペースユニットを台所の壁や柱等に取り付ける方法において、
台所の壁等に対して、対向する一方辺と他方辺、及びこれらを連結する中央連結部分から成る断面がコ字状のスペーサを、高さ方向に複数並べた状態で、かつ、中央連結部分が壁等に接するように取り付け、更にこれらのスペーサの一方辺に、スペースユニットの二枚ある正面板の内の一枚を取り付ける一方、
正面板の反対側の側縁部にも、コ字状のスペーサを高さ方向に並べた状態で、かつ、中央連結部分が外側にくるように取着して、これらのスペーサの中央連結部分に接するようにスペースユニットの側面板を取り付け、
更に前記正面板の上縁部に対しても、コ字状のスペーサを中央連結部分が上側にくるように取着して、これらのスペーサの中央連結部分と接するようにスペースユニットの天板を取り付け、
そして、前記正面板の側縁部および上縁部に取着したコ字状スペーサの他方辺に、スペースユニットのもう一枚の正面板を取り付けてスペースユニットを組み立てることを特徴とするスペースユニットの取り付け方法。
【請求項６】
台所に壁付型のキッチンユニットを取り付ける際、キッチンユニットの背面側に配管スペースを形成するために台所の壁に取り付けられるスペースユニットの取り付け構造、或いは、壁付型キッチンから対面式キッチンにリフォームする際、元のキッチンユニットを除去して露出した配管類を覆い隠すために台所の壁に取り付けられるスペースユニットの取り付け構造であって、
対向する一方辺と他方辺、及びこれらを連結する中央連結部分から成り、かつ、台所の壁に対して高さ方向と幅方向に複数並べた状態で、中央連結部分が外側にくるように一方辺を壁に接して取り付けられる断面コ字状のスペーサと；
前記高さ方向に並べたスペーサの中央連結部分と接するように取り付けられる側面板、および前記幅方向に並べたスペーサの中央連結部分と接するように取り付けられる天板、および前記高さ方向と幅方向に並べたコ字状スペーサの他方辺に側縁部と上縁部が取り付けられる正面板から成るスペースユニットとを含んで成り、
前記コ字状スペーサの配置を基準にスペースユニットが台所の壁に取り付けられていることを特徴とするスペースユニットの取り付け構造。
【請求項７】
台所に壁付型のキッチンユニットを取り付ける際、キッチンユニットの背面側に配管スペースを形成するために台所の壁に取り付けられるスペースユニットの取り付け構造、或いは、壁付型キッチンから対面式キッチンにリフォームする際、元のキッチンユニットを除去して露出した配管類を覆い隠すために台所の壁に取り付けられるスペースユニットの取り付け構造であって、
直角を成す二辺を有し、かつ、台所の壁に対して高さ方向と幅方向に複数並べた状態で、一辺が外側にくるようにもう一辺を壁に接して取り付けられる断面Ｌ字状のスペーサと；
前記高さ方向に並べたスペーサの一辺と接するように取り付けられる側面板、および前記幅方向に並べたスペーサの一辺と接するように取り付けられる天板、および前記高さ方向と幅方向に並べたＬ字状スペーサの一辺の端面に側縁部と上縁部が取り付けられる正面板から成るスペースユニットとを含んで成り、
前記Ｌ字状スペーサの配置を基準にスペースユニットが台所の壁に取り付けられていることを特徴とするスペースユニットの取り付け構造。
【請求項８】
台所に対面式のキッチンユニットを取り付ける際、キッチンユニットの背面側に配管スペースを形成するために台所の壁や柱等に取り付けられるスペースユニットの取り付け構造であって、
対向する一方辺と他方辺、及びこれらを連結する中央連結部分から成り、かつ、高さ方向に複数並べた状態で、中央連結部分が壁に接するように取り付けられる断面コ字状のスペーサと；これらのスペーサの一方辺に取り付けられるスペースユニットの正面板と；この正面板の反対側の側縁部に、高さ方向に並べた状態で、かつ、中央連結部分が外側にくるように取着されるコ字状のスペーサと；これらのスペーサの中央連結部分に接するように取り付けられるスペースユニットの側面板と；前記正面板の上縁部に対して、中央連結部分が上側にくるように取着されるコ字状のスペーサと；これらのスペーサの中央連結部分と接するように取り付けられるスペースユニットの天板と；前記正面板の側縁部および上縁部に取着されたスペーサの他方辺に取り付けられるもう一枚の正面板とを含んで構成され、
前記コ字状スペーサの配置を基準にスペースユニットが台所の壁に取り付けられていることを特徴とするスペースユニットの取り付け構造。
【請求項９】
スペースユニットに、上面にガイド溝が形成された中間天板を使用して、この中間天板を幅方向に並べたスペーサ上に取り付ける一方、
前記中間天板の上側には、ガイド溝に沿って移動する複数の棚台を載置し、更にこれらの棚台の上側にもう一枚、天板を取り付けてスペースユニットを構成したことを特徴とする請求項６〜８の何れか一つに記載のスペースユニットの取り付け構造。
【発明の詳細な説明】
【技術分野】
【０００１】
本発明は、台所等に新しいキッチンユニットを取り付けるため等に好適なスペースユニットの取り付け方法及びスペースユニットの取り付け構造に関するものである。
【背景技術】
【０００２】
一戸建て住宅やマンション等の建築物において、リフォーム、すなわち建物の一部分を新しく作り変えることは、日々頻繁に行われている。例えば、壁に棚や収納家具を新たに取り付ける場合から特定の部屋全体をリフォームする場合等様々なリフォームがある。その中でも特に、台所は、水道管、ガス管や排水管等が配されているために、大変な手間と時間がかかるリフォームといえる。台所のリフォームでは、元の台所のガス管や排水管等の管類を、新しく導入するキッチンユニットの管類と合わせなければならない作業が生じるが、そのために壁を壊したり、ガス配管の工事、水道配管の工事等が必要になるからである。
【０００３】
そこで、元の台所の壁にあるガス管や排水管等の管類をそのままにして、その位置にスペースユニットを取り付けてから、新しいキッチンユニットを取り付けるものが既に開示されている（特許文献１、２参照）。
【先行技術文献】
【特許文献】
【０００４】
【特許文献１】特開２００３−１８９９５１号公報
【特許文献２】特開２００６−６７０３号公報
【発明の開示】
【発明が解決しようとする課題】
【０００５】
しかしながら、上記文献１や２に記載された従来のスペースユニットは所定の大きさに定まったものであり、これではリフォームする場所において、柔軟に対応することはできない。すなわち、配管類が配された壁が何もない平坦面で構成されていれば、上記スペースユニットをそのまま入れることもできるが、実際には、凹凸部分や他の配管類が配されるなどして、平坦な面の壁ではなく、上記ユニットをそのまま配することができない場合がほとんどである。特に、一戸建て住宅の場合、既に他の配管類があったり、更に以前一度リフォームが行われた場所であれば、一層平坦な面とはなっていないことが多い。
また、スペースユニットを取り付けたる場所としては、部屋の場所や大きさに応じて取付け方や大きさの調整（使用する板の切断）等種々の要因があるが、これらに対応して正確で容易に早く組み立てる必要がある。
さらに、スペースユニットに棚を付け加えたい場合が生じるが、棚が構成部品として増えることにより、スペースユニットの組み立てに時間がかかったり、スペースユニットの長さに影響を与えたり、スペースユニットの形が崩れる等の問題を生じることがあった。
【０００６】
そこで本発明の目的は、凹凸部分や他の配管類が配されるなどして、平坦な面の壁ではない場合でも、配管類をそのままにしてスペースユニットを組み立てることが正確で容易でしかも早く行うことができるスペースユニットの取り付け方法及び取り付け構造を提供することにある。
【課題を解決するための手段】
【０００７】
本発明のスペースユニットの取り付け方法と取り付け構造は、壁や柱や床上に、天板、側面板、正面板等のスペースユニットを取り付けるスペースユニットの取り付け方法において、壁や柱や床上に断面がコ字状又はＬ字状のスペーサを取り付けてから、このコ字状又はＬ字状のスペーサを基準にして、天板、側面板、正面板等のスペースユニットを取り付けることを特徴とする。
【０００８】
もう少し具体的に説明すると、台所に壁付型のキッチンユニットを取り付ける際、キッチンユニットの背面側に配管スペースを形成するためのスペースユニットを台所の壁に取り付ける方法、或いは、壁付型キッチンから対面式キッチンにリフォームする際、元のキッチンユニットを除去して露出した配管類を覆い隠すためのスペースユニットを台所の壁に取り付ける方法において、
台所の壁に対して、対向する一方辺と他方辺、及びこれらを連結する中央連結部分から成る断面がコ字状のスペーサを、高さ方向と幅方向に複数並べた状態で、かつ、中央連結部分が外側にくるように一方辺を壁に接して取り付けた後、
スペースユニットの側面板を、前記高さ方向に並べたスペーサの中央連結部分と接するように取り付けると共に、スペースユニットの天板を、前記幅方向に並べたスペーサの中央連結部分と接するように取り付け、更にスペースユニットの正面板については、その側縁部と上縁部を前記高さ方向と幅方向に並べたコ字状スペーサの他方辺に取り付けてスペースユニットを組み立てることを特徴とする（段落番号[0028]〜[0037]、図１〜１１の記載を参照）。
【０００９】
また、上記スペーサについては、台所の壁に取り付ける一方辺が他方辺よりも長く形成されているスペーサを使用することもでき、スペースユニットの側面板と天板と正面板、及びスペーサの材質を木製に合わせることもできる（段落番号[0030]の記載を参照）。
【００１０】
一方、本発明によれば、台所の壁に対して、直角を成す二辺を有する断面がＬ字状のスペーサを、高さ方向と幅方向に複数並べた状態で、かつ、一辺が外側にくるようにもう一辺を壁に接して取り付けた後、
スペースユニットの側面板を、前記高さ方向に並べたスペーサの一辺と接するように取り付けると共に、スペースユニットの天板を、前記幅方向に並べたスペーサの一辺と接するように取り付け、更にスペースユニットの正面板については、その側縁部と上縁部を前記高さ方向と幅方向に並べたＬ字状スペーサの一辺の端面に取り付けてスペースユニットを組み立てることもできる(段落番号[0030]、図２２の記載を参照)。
【００１１】
また、上記スペースユニットの取り付け構造についても注釈を加えると、対向する一方辺と他方辺、及びこれらを連結する中央連結部分から成り、かつ、台所の壁に対して高さ方向と幅方向に複数並べた状態で、中央連結部分が外側にくるように一方辺を壁に接して取り付けられる断面コ字状のスペーサと；
前記高さ方向に並べたスペーサの中央連結部分と接するように取り付けられる側面板、および前記幅方向に並べたスペーサの中央連結部分と接するように取り付けられる天板、および前記高さ方向と幅方向に並べたコ字状スペーサの他方辺に側縁部と上縁部が取り付けられる正面板から成るスペースユニットとから構成し、
前記コ字状スペーサの配置を基準にスペースユニットを台所の壁に取り付けた構造を特徴とする（段落番号[0028]〜[0037]、図１〜１１の記載を参照）。
【００１２】
他方、本発明によれば、直角を成す二辺を有し、かつ、台所の壁に対して高さ方向と幅方向に複数並べた状態で、一辺が外側にくるようにもう一辺を壁に接して取り付けられる断面Ｌ字状のスペーサと；
前記高さ方向に並べたスペーサの一辺と接するように取り付けられる側面板、および前記幅方向に並べたスペーサの一辺と接するように取り付けられる天板、および前記高さ方向と幅方向に並べたＬ字状スペーサの一辺の端面に側縁部と上縁部が取り付けられる正面板から成るスペースユニットとから構成し、
前記Ｌ字状スペーサの配置を基準にスペースユニットが台所の壁に取り付けた構造にも特徴がある(段落番号[0030]、図２２の記載を参照)。
【００１３】
本発明によれば、断面がコ字状又はＬ字状のスペーサを壁や柱等の所定箇所に取り付ける。スペーサを取り付ける姿勢は、縦でも横でも斜めでもよい。予期し得ない突起物があるときは、これを避けた位置に断面がコ字状又はＬ字状のスペーサを配する。そして、断面がコ字状又はＬ字状のスペーサを基準位置として、これに沿わせるように正面板、天板や側面板を順次取り付ければ、誰もが正確に容易に早くスペースユニットを取り付けることができる。
【００１４】
本発明のスペースユニットの取り付け方法と取り付け構造は、水道管、ガス管や排水管等の管類が配設された壁を使用して新たなキッチンユニットを取り付けるに際して、元の水道管、ガス管や排水管等の配管類と新たなキッチンユニットの配管類と連結させるとともに、壁に断面がコ字状又はＬ字状のスペーサを取り付け、この断面がコ字状又はＬ字状のスペーサを基準にして、正面板、天板、側面板等のスペースユニットを取り付け、このスペースユニットに対して新しいキッチンユニットを取り付けることを特徴とする。
【００１５】
本発明によれば、断面がコ字状又はＬ字状のスペーサを使用して、元の配管を避けるように取り付けたり、元の配管を挟むようにして所定箇所に取り付ける。スペーサの取り付ける姿勢は、縦でも横でも斜めでもよい。そして、断面がコ字状又はＬ字状のスペーサを基準位置として、これに沿わせるように正面板、天板や側面板を順次取り付けて行けばよい。したがって、予期し得ない突起物があっても、これを避けた位置に断面がコ字状又はＬ字状のスペーサを配したり、元の配管を挟むことで、元の配管を保持したり保護することもでき、誰もが正確に容易に早くスペースユニットを取り付けることができる。
【００１６】
新たなキッチンユニットを取り付けるに際して、元の水道管、ガス管や排水管等の配管類と新たなキッチンユニットの配管類とを床下を介して連結させるとともに、新しいキッチンユニットを取り付ける所定の位置に断面がコ字状又はＬ字状のスペーサを配して、これを基準にして、正面板、天板、側面板等のスペースユニットを取り付け、このスペースユニットに対して新しいキッチンユニットを取り付けることを特徴とする。また、本発明のスペースユニットの取り付け方法と取り付け構造は、水道管、ガス管や排水管等の管類が配設された壁を使用して新たなキッチンユニットを取り付けるに際して、元の水道管、ガス管や排水管等の配管類と新たなキッチンユニットの配管類とを床下を介して連結させるとともに、元の水道管、ガス管や排水管等の配管類が配された壁に断面がコ字状又はＬ字状のスペーサを取り付け、この断面がコ字状又はＬ字状のスペーサを基準にして、正面板、天板、側面板等の第１のスペースユニットを取り付け、新しいキッチンユニットを取り付ける所定の位置にも断面がコ字状又はＬ字状のスペーサを配して、これを基準にして、正面板、天板、側面板等の第２のスペースユニットを取り付け、第２のスペースユニットに対して新しいキッチンユニットを取り付けることを特徴とする。
【００１７】
もう少し具体的に説明すると、台所に対面式のキッチンユニットを取り付ける際、キッチンユニットの背面側に配管スペースを形成するための第２のスペースユニットを、台所の壁等に取り付ける方法において、
台所の壁等に対して、対向する一方辺と他方辺、及びこれらを連結する中央連結部分から成る断面がコ字状のスペーサを、高さ方向に複数並べた状態で、かつ、中央連結部分が壁に接するように取り付け、更にこれらのスペーサの一方辺に、スペースユニットの二枚ある正面板の内の一枚を取り付ける一方、
正面板の反対側の側縁部にも、コ字状のスペーサを高さ方向に並べた状態で、かつ、中央連結部分が外側にくるように取着して、これらのスペーサの中央連結部分に接するようにスペースユニットの側面板を取り付け、
更に前記正面板の上縁部に対しても、コ字状のスペーサを中央連結部分が上側にくるように取着して、これらのスペーサの中央連結部分と接するようにスペースユニットの天板を取り付け、
そして、前記正面板の側縁部および上縁部に取着したコ字状スペーサの他方辺に、スペースユニットのもう一枚の正面板を取り付けてスペースユニットを組み立てることを特徴とする（段落番号[0038]〜[0043]、図１２〜１９の記載を参照）。
【００１８】
また、上記スペースユニットの取り付け構造についてもう少し具体的に説明すると、対向する一方辺と他方辺、及びこれらを連結する中央連結部分から成り、かつ、高さ方向に複数並べた状態で、中央連結部分が壁に接するように取り付けられる断面コ字状のスペーサと；これらのスペーサの一方辺に取り付けられるスペースユニットの正面板と；この正面板の反対側の側縁部に、高さ方向に並べた状態で、かつ、中央連結部分が外側にくるように取着されるコ字状のスペーサと；これらのスペーサの中央連結部分に接するように取り付けられるスペースユニットの側面板と；前記正面板の上縁部に対して、中央連結部分が上側にくるように取着されるコ字状のスペーサと；これらのスペーサの中央連結部分と接するように取り付けられるスペースユニットの天板と；前記正面板の側縁部および上縁部に取着されたスペーサの他方辺に取り付けられるもう一枚の正面板とから構成し、
前記コ字状スペーサの配置を基準にスペースユニットを台所の壁に取り付けた構造に特徴がある（段落番号[0038]〜[0043]、図１２〜１９の記載を参照）。
【００１９】
本発明によれば、上記配管類を床下を介して所定位置でスペースユニットを組み立てるか、又は、台所の壁に第１のスペースユニットを取り付け、上記配管類を床下を介して所定位置で第２のスペースユニットを組み立ててから、新しいキッチンユニット側の配管類を覆い隠し、第２のスペースユニットに対して新しいキッチンユニットに連結させることで、上記配管類を露出させることなく、壁付型キッチン（クローズドキッチン）から対面式キッチン（オープンキッチン、アイランドキッチン）に正確に早くリフォームできる。
【００２０】
本発明のスペースユニットの取り付け構造は、前記スペースユニットに中間天板を介して棚を付け加えることができるもので、この棚は、前記天板の下方に位置する中間天板にガイド溝が形成されるとともに、中間天板のガイド溝に沿って移動する棚台を備え、この棚台をガイド溝に沿って移動させることでその長さを調節してから、中間天板、天板や正面板の長さを調節することを特徴とする。
【００２１】
もう少し具体的に説明すると、スペースユニットに、上面にガイド溝が形成された中間天板を使用して、この中間天板を幅方向に並べたスペーサ上に取り付ける一方、
前記中間天板の上側には、ガイド溝に沿って移動する複数の棚台を載置し、更にこれらの棚台の上側にもう一枚、天板を取り付けてスペースユニットを構成した点を特徴とする（段落番号[0041]、図１７〜１９の記載を参照）。
【００２２】
本発明によれば、前記スペースユニットに棚を付け加えるに際して、棚の長さを調節。することができる。なお、中間天板、天板や正面板の長さを調節、つまり切断しても良く、中間天板、天板や正面板の長さを調節してから、これに合わせるように棚の長さを調節
しても良い。
【００２３】
本発明のスペースユニットの取り付け構造は、前記コ字状のスペーサは、コ字状の側面に四角形状のスペーサを嵌め込んで各板の裏面と接するように取り付けたり、壁、柱や床と接するように取付けることを特徴とする。
【００２４】
本発明によれば、前記コ字状のスペーサは、コ字状の側面に四角形状のスペーサを嵌め込むことで、コ字状のスペーサの強度を高めるとともに、各板との接触面を増やすことができる。
【発明の効果】
【００２５】
本発明によれば、断面がコ字状又はＬ字状のスペーサと、天板、側面板、正面板等のスペースユニットをセットして現場に持ち込んで、断面がコ字状又はＬ字状のスペーサを基準位置として正面板、天板や側面板を順次取り付けて行けばよいので、取り付ける対象の壁や柱に予期し得ない突起物があっても、これを避けた位置に断面がコ字状又はＬ字状のスペーサを配することにより、誰もが正確で、容易に、しかも早くスペースユニットを取り付けることが可能になる。また、台所の壁に配された配管類を床下に通すとともに、所定位置に第２のスペースユニットを断面がコ字状又はＬ字状のスペーサを使用して組み立て、これに新しいキッチンユニットに連結させることで、上記配管類を露出させずに、壁付型キッチン（クローズドキッチン）から対面式キッチン（オープンキッチン）に容易にリフォームできる。特に、断面がコ字状のスペーサは、ガス管や連結管等の配管類を挟み込むことで、配管類を保護しながら、その姿勢の安定性を確保するとともに、正面板、天板や側面板をこのスペーサの各面を使用して、これを基準にして、正確で、容易に、しかも早く組み立てることに大きく寄与する。
【図面の簡単な説明】
【００２６】
【図１】本発明の第１の実施の形態のスペースユニットの取り付け方法を説明する図であり、上から見た古い台所の配置を模式的に示す背面図である。
【図２】本発明の第１の実施の形態のスペースユニットの取り付け方法を説明する図であり、古い台所を除去した状態の斜視図である。
【図３】本発明の第１の実施の形態のスペースユニットの取り付け方法を説明する図であり、連結管を取り付けた状態の図である。
【図４】本発明の第１の実施の形態のスペースユニットの取り付け方法を説明する図であり、天板を取り付けた状態の図である。
【図５】本発明の第１の実施の形態のスペースユニットの取り付け方法を説明する図であり、側面板を取り付けた状態の図である。
【図６】本発明の第１の実施の形態のスペースユニットの取り付け方法を説明する図であり、正面板を取り付けた状態の図である。
【図７】本発明の第１の実施の形態のスペースユニットの取り付け方法を説明する図であり、新しいキッチンユニットを取り付けた状態の図である。
【図８】本発明の第２の実施の形態のスペースユニットの取り付け方法を説明する図であり、上から見た古い台所の配置を模式的に示す背面図である。
【図９】本発明の第２の実施の形態のスペースユニットの取り付け方法を説明する図であり、古い台所を除去した状態の斜視図である。
【図１０】本発明の第２の実施の形態のスペースユニットの取り付け方法を説明する図であり、連結管を取り付けた状態の図である。
【図１１】本発明の第２の実施の形態のスペースユニットの取り付け方法を説明する図であり、天板、側面板、正面板を取り付けた状態の図である。
【図１２】本発明の第２の実施の形態のスペースユニットの取り付け方法を説明する図であり、上から見た新しいキッチンユニットの配置を模式的に示す背面図である。
【図１３】本発明の第２の実施の形態のスペースユニットの取り付け方法を説明する図であり、天板を取り付けた状態の図である。
【図１４】本発明の第２の実施の形態のスペースユニットの取り付け方法を説明する図であり、棚を取り付けた状態の図である。
【図１５】本発明の第２の実施の形態のスペースユニットの取り付け方法を説明する図であり、天板を取り付けた状態の図である。
【図１６】本発明の第３の実施の形態のスペースユニットの取り付け方法を説明する図であり、上から見た新しいキッチンユニットの配置を模式的に示す図である。
【図１７】上記第２の実施の形態のスペースユニットの取り付け方法を説明する図であり、天板を取り付けた状態の図である。
【図１８】上記第２の実施の形態のスペースユニットの取り付け方法を説明する図であり、棚を取り付けた状態の図である。
【図１９】本発明の第３の実施の形態のスペースユニットの取り付け方法を説明する図であり、天板を取り付けた状態の図である。
【図２０】本発明の断面がコ字状又はＬ字状のスペーサの例を説明する図であり、（ａ）はその斜視図であり、（ｂ）はその正面図であり、（ｃ）はその側面図であり、（ｄ）はその平面図である。
【図２１】本発明の断面がコ字状又はＬ字状のスペーサの例を説明する図であり、（ａ）はその斜視図であり、（ｂ）はその正面図であり、（ｃ）はその側面図であり、（ｄ）はその平面図である。
【図２２】本発明の断面がコ字状又はＬ字状のスペーサの例を説明する図であり、（ａ）はその斜視図であり、（ｂ）はその正面図であり、（ｃ）はその側面図であり、（ｄ）はその平面図である。
【図２３】本発明の第３の実施の形態に使用する棚の棚台を説明する斜視図である。
【発明を実施するための形態】
【００２７】
以下、本発明の一実施の形態を図面を参照して詳細に述べる。
【００２８】
（第１の実施形態）
本実施の形態は、一戸建て住宅の壁付型キッチン（クローズドキッチン）のリフォームに際して本発明を適用したものであり、図１は、上から見た台所の配置を模式的に示す背面図である。また、図２は、矢印Ｖａ方向から台所を見た斜視図である。本実施の形態では、断面がコ字状又はＬ字状のスペーサＰ１，Ｐ２と、天板Ｓｔ１、側面板Ｓｒ、正面板Ｓｓ１等のスペースユニットをセットして現場に持ち込んで行うものである（図６）。
まず、元の台所ユニットＫｎを除去すると（図２）、元のガス配管Ｇｍ、水道配管Ｗｍや排水管Ｈｍ等の配管類は、台所の壁Ｄに埋め込まれていることが多い。通常、新たなキッチンユニットＳｎを取り付けるに際しては、この新たなキッチンユニットＳｎとの配管類Ｇｍ，Ｗｍ，Ｈｍの接続のために、台所の壁Ｄに埋め込まれているガス配管Ｇｍや水道配管Ｈｍ等も新たに取り付け直す必要がある。しかし、これでは水道業者やガス事業、更には大工の手も必要になり、作業が大掛かりとなる。そこで、新たなキッチンユニットＳｎを取り付けるに際して（図７参照）、元の配管類Ｇｍ，Ｗｍ，Ｈｍが配されている箇所に、スペースユニットＳｓ，Ｓｔ，Ｓｒを取り付けてから新しいキッチンユニットＳｎを取り付ける。
【００２９】
元のガス配管Ｇｍ等の配管類Ｇｍ，Ｗｍ，Ｈｍには、連結管Ｒを取り付ける（図３）。連結管Ｒは、ゴム製やステンレス製のもので、その一方側を元のガス配管Ｇｍや水道配管Ｈｍに取り付ける。連結管Ｒは、連結相手の配管類の種類に応じて使い分けると良い。連結管Ｒの他方側は、キッチンユニットＳｎのガス管Ｇｍや水道管Ｗｍと連結させるが、ここでは、まず連結管Ｒの一方側のみ元の水道管Ｗｍ、ガス配管Ｇｍや排水管Ｈｍに連結管Ｒを取り付ける。ガス配管Ｇｍ等においては、連結管Ｒを必ずしも使用しなくとも良いものもある。なお、食器洗い洗浄機器を新たに取り付ける場合は、その配管も同時に行うと良い。また、電源コンセント等を新しいキッチンユニットＳｎに取り付ける場合は、これを引き伸ばした状態にしたり、連結が必要な場合は、接続コードを使用して接続する。本実施の形態では、水道管として、吸水管Ｗ１と給湯管Ｗ２との２本が配されているものを例に説明している（図２）。
【００３０】
次に、台所の壁Ｄに、断面がコ字状やＬ字状のスペーサを取り付ける（図４）。断面がコ字状又はＬ字状のスペーサとしては、コ字状のスペーサＰ１Ａ（図２０）、コ字状の側面に四角形状のスペーサＰｄを嵌め込んでコ字状部分が補強されたコ字状のスペーサＰ１Ｂ（図２１）、コ字状のスペーサに予めねじ穴加工が施されたコ字状のスペーサＰ１Ｃ（図２２（ａ））、一体加工されたＬ字状のスペーサＰ２（図２２（ｂ））、コ字状の長さを等しくしたコ字状のスペーサＰ３（図２２（ｃ））等が考えられる。本実施の形態のスペーサは、いずれも木製であり、これは天板Ｓｔ、側面板Ｓｒと正面板Ｓｓが木製であることに対応させている。断面がコ字状又はＬ字状のスペーサＰ１（Ａ〜Ｃ），Ｐ２，Ｐ３は、いずれも木製板を組み合わせて直角部分（９０度）がだせるように組み合わせられている。したがって、２組以上のコ字状又はＬ字状のスペーサＰ１（Ａ〜Ｃ），Ｐ２，Ｐ３を各々組み合わせて使用したり、コ字状のスペーサＰ１（Ｐ１Ａ，Ｐ１Ｂ，Ｐ１Ｃ）とＬ字状のスペーサＰ２とを組み合わせて使用しても良い。なお、コ字状又はＬ字状のスペーサＰ１（Ａ〜Ｃ），Ｐ２，Ｐ３は、金属製や樹脂製のものとして使用することも可能である。図２０に示すコ字状のスペーサＰ１Ａは、対向する一方辺Ｐａが他方辺Ｐｂよりも長く形成されている。長い方の辺Ｐａを壁Ｄや床Ｆａや各板の背面等に向けて使用することで、取り付け姿勢が安定すると共に、視覚確認の状態を良好にして取り付ける工夫である。また、長い方の辺Ｐａに壁Ｄ等への取り付けのためのネジ孔を形成し、短い方の辺Ｐｂに配管類の移動を防止するためのネジ孔を形成して使用することもできる。また、一方辺Ｐａと他方辺Ｐｂには、ネジを通すネジ孔ｎ１，ｎ２が形成されている。いずれも壁Ｄ等への取り付けとして使用できるが、一方辺Ｐａのネジ孔ｎ１は、壁Ｄへの取り付けとして使用し、他方辺Ｐｂのネジ孔ｎ２は、挟み込む配管類の固定のために使用しても良い。なお、コ字状のスペーサＰ３は、図２１に示すように、一方辺Ｐａと他方辺Ｐｂとが同じ長さのものを使用することも可能である。また、コ字状又はＬ字状のスペーサＰ１（Ａ〜Ｃ），Ｐ２，Ｐ３は、斜めに取り付けても良い。ネジ孔ｎ２にネジを通して壁Ｄに容易に取り付けることができる。そして、ネジを介してコ字状又はＬ字状のスペーサＰ１（Ａ〜Ｃ），Ｐ２，Ｐ３を適宜回転させれば、水平姿勢や垂直姿勢等を得ることができる。
【００３１】
コ字状のスペーサＰ１Ａ，Ｐ１Ｂ，Ｐ１Ｃは、例えば、天板Ｓｔの取り付けに際しては、コ字状の中央連結部分Ｐｅを上にして天板Ｓｔの裏面と接するように取り付けたり（図５の右上の符号Ｐ１Ａを参照）、又、側面板Ｓｒの取り付けに際しては、コ字状の中央連結部分Ｐｅを横にして側面板Ｓｒの裏面と接するように取り付けたり（図６の右下の符号Ｐ１Ａを参照）、又、コ字状の中央連結部分Ｐｅを下にして台所等の壁に取り付けたり（図６の左下の符号Ｐ１Ｃを参照）、又、対向する一方辺Ｐａと他方辺Ｐｂを台所の壁Ｄ１か又は正面板Ｓｓの裏面と接するように取り付けることができる。また、対向する一方辺Ｐａと他方辺Ｐｂとの間に四角形状のスペーサＰｄを嵌め込んで面一な面を更に形成して（図２１（ｃ））、側面板Ｓｒの裏面等や、又、壁Ｄや床（面）Ｆａ等と接するように取り付けることもできる。そして、上記四角形状のスペーサＰｄに壁Ｄ等への取り付けのためのネジ孔を形成したり、配管類の移動を防止するためのネジ孔を形成して使用することもできる。このような多様な使用が可能であり、これにより、天板Ｓｔや側面板Ｓｒ等を垂直姿勢を維持して取り付けることができるとともに、いずれの姿勢も容易にかつ正確に取り付けることができる。
【００３２】
本実施の形態では、正面板Ｓｓ、天板Ｓｔ、左右の側面板Ｓｒのスペースユニットを取り付けるので、天板Ｓｓの取り付けに際しては、コ字状のスペーサＰ１Ａのコ字状の中央連結部分Ｐｅを上にして天板Ｓｓの裏面と接するように取り付けたり、又、側面板Ｓｒの取り付けに際しては、コ字状の中央連結部分Ｐｅを横にして側面板Ｓｒの裏面と接するように取り付ける。ここで、一方の側面板Ｓｒの側の下方のスペーサＰ１Ｃは、その中央の連結部分Ｐｅを下、つまり床面Ｆａと接触するようにしているが、この状態で床Ｆａとねじやビスで固定したり、接着剤で固定する方法もある。なお、本実施の形態では、図４と図５に示すように、側方の壁Ｋ側には、側面板Ｓｒはないが、この側方の壁Ｋ側に側面板Ｓｒを取り付けても問題ない。
【００３３】
Ｌ字状のスペーサＰ２の場合は、その短辺側の一辺Ｐｍを上にして天板Ｓｓを水平に取り付けたり、その短辺側の一辺Ｐｍを横にして側面を取り付けたり、又、その長辺側の一辺Ｐｎを上にして天板Ｓｓを水平に取り付けたり、その長辺側の一辺Ｐｍを横にして側面板Ｓｒを取り付けたりする。
【００３４】
台所の壁Ｄには、上記配管類Ｇｍ，Ｗｍ，Ｈｍがいくつか張り巡らさせることになるが、断面がコ字状又はＬ字状のスペーサＰ１，Ｐ２，Ｐ３を使用して、配管類Ｇｍ，Ｗｍ，Ｈｍをコ字状部分で挟んだ状態で固定することができ、配管類Ｇｍ，Ｗｍ，Ｈｍの安定性を図りながら取り付けられる（図５の符号Ｐｙ参照）。また、コ字状のスペーサＰ１の中央連結部分ＰｅやＬ字状のスペーサＰ２の一方の辺に対して上記配管類Ｇｍ，Ｗｍ，Ｈｍを押し当てるようにして、上記配管類の位置ずれが生じないようにすることもできる（図５の符号Ｐｚ参照）。そして、正面板Ｓｓや天板Ｓｔや側面板Ｓｒを取り付ける。このような取り付けに対してコ字状のスペーサＰ１は柔軟に対応して取り付けることができる。そして、天板Ｓｓと左右の側面板Ｓｒを取り付けてから、正面板Ｓｓを取り付ける。正面板Ｓｓの取り付けに際しては、コ字状のスペーサＰ１の他辺を正面板Ｓｓの裏面と接触させて接着剤やネジ等を使用して、容易に正面板Ｓｓを取り付けることができる。正面板Ｓｓを取り付けると、排水管Ｈｍを除き、新しいキッチンユニットＳｎの上方側の上記配管類Ｇｍ，Ｗｍを見えなくすることができる。
【００３５】
上記正面板等のスペースユニットＳｓ，Ｓｔ，Ｓｒを取り付けた後は、このスペースユニットＳｓ，Ｓｔ，Ｓｒに対して新しいキッチンユニットＳｎを取り付ける（図７）。この際、新しいキッチンユニットＳｎの配管類（ガス管や排水管等）と上記連結管Ｒの他方と連結させた状態する。このように取り付けると、台所の壁Ｄが凹凸部分や他の配管類が配されるなどして、平坦な面の面壁ではない場合でも、配管類Ｇｍ，Ｗｍ，ＨｍをそのままにしてスペーサスユニットＳｓ，Ｓｔ，Ｓｒを早く容易にしかも正確に組み立てることができる。
【００３６】
（第２の実施形態）
本実施の形態は、壁付型キッチン（クローズドキッチン）から対面式キッチン（オープンキッチン）へのリフォームに際して本発明を適用したものであり、図８は、上から見た台所の配置を模式的に示す図である。また、図９は、矢印Ｖａ方向から台所を見た斜視図である。元の台所ユニットＫｎを除去して（図９）、露出した元の水道管Ｗｍ、排水管Ｈｍ，ガス管Ｇｍ等の配管類Ｗｍ，Ｈｍ，Ｇｍには、連結管Ｒを取り付ける（図１０）。連結管Ｒの他方側は、床下Ｆｂを介して新しいキッチンユニットＳｎの水道管Ｗｎ、排水管Ｈｎ，ガス管Ｇｎと連結させる（図１０）。なお、新しいキッチンユニットＳｎがガスを使用しない場合には、元のガス配管Ｇｍを閉栓すれば足りる。
【００３７】
次に、台所の壁Ｄに、断面がコ字状のスペーサＰ１Ａ，Ｐ１Ｂを取り付け（図１０）、天板Ｓｔ１、側面板Ｓｒ１、正面板Ｓｓ１を取り付け、床下Ｆｂの床板を元に戻して、配管類Ｗｍ，Ｈｍ，Ｇｍ等を完全に見えなくする（図１１）。第１の壁Ｄ１である台所の壁（窓Ｍ側の壁）Ｄ１に向かって取り付けられていた元の台所ユニットＫｎを除去し、露出した元の水道管Ｗｍ、排水管Ｈｍ、ガス管Ｇｍは、第１のスペースユニットである天板Ｓｔ１、側面板Ｓｒ１、正面板Ｓｓ１により覆う。つまり、断面がコ字状のスペーサＰ１Ａ，Ｐ１Ｂの厚さ分で元の水道管Ｗｍ、排水管Ｈｍ、ガス管Ｇｍを第１のスペースユニットＳｔ１，Ｓｒ１，Ｓｓ１で覆われ、すっきりとした外観となる（図１１）。
【００３８】
図１２は、上から見た新しいキッチンユニットＳｎの配置を模式的に示す図である。また、図１３は、矢印Ｖａ方向から台所を見た斜視図である。水道管Ｗｎや排水管Ｈｎ等の配管類（或いは連結管Ｒ）は、床下に配設されている（床下の水道管Ｗｎや排水管Ｈｎと、床上の水道管Ｗｍや排水管Ｈｍ等の配管類は符号を異ならせてある）。本実施の形態では、第１の壁Ｄ１と居間との間には、第２の壁Ｄ２が立設しており、第２の壁Ｄ２を利用して第２のスペースユニットＳｔ２，Ｓｒ２，Ｓｓ２を組み立てる。すなわち、第２のスペースユニットＳｔ２，Ｓｒ２，Ｓｓ２の左右の側面板Ｓｒ２は、一枚のみ第２の壁Ｄ２とは反対側に使用して、第２の壁Ｄ２側は断面がコ字状のスペーサＰ１Ａ，Ｐ１Ｂを当接させるようにする。第２のスペースユニットＳｔ２，Ｓｒ２，Ｓｓ２を組み立てる場合には、断面がコ字状のスペーサＰ１Ｃを床と当接させ、これを基準に左右のうちの一方の側面板Ｓｒ２を取り付ける。また、第２の壁Ｄ２に対しては、断面がコ字状のスペーサＰ１Ｃを第２の壁Ｄ２に接触させるようにする。そして、正面板Ｓｓ２，Ｓｓ２を取り付ける。ここで、第２の壁Ｄ２の代用としては、柱や、食器棚ユニットや換気扇が組み込まれたユニット等を使用できる。なお、第２の壁Ｄ２やこれらの代用を使用せずに、第２のスペースユニットのみを所定位置に組み立て、この第２のスペースユニットを基準に新しいキッチンユニットＳｎを取り付けることもできる。
【００３９】
本実施の形態では、第２のスペースユニットは、１枚の天板Ｓｔ２と、一枚の側面板Ｓｒ２と、２枚の正面板Ｓｓ２，Ｓｓ３を使用する。そして、上記スペーサＰ１Ａ，Ｐ１Ｂ，Ｐ１Ｃを介して、連結管Ｒにより連結される新しいキッチンユニットＳｎの水道管Ｗｍ、排水管Ｈｍ、ガス管Ｇｍを覆い隠す（図１４）。すなわち、新しいキッチンユニットＳｎ側の正面板Ｓｓ２に沿うようにして立ち上げ、この正面板Ｓｓ２と隣り合わせになる新しいキッチンユニットＳｎと連結させる（図１５）。上記正面板Ｓｓ２を使用せずに、上記水道管Ｗｍ、排水管Ｈｍ、ガス管Ｇｍを新しいキッチンユニットＳｎの背面に沿うようにして立ち上げることも可能である。
【００４０】
ここで、新たなキッチンユニットを取り付ける場所、つまりリフォームする場所は、台所や台所から連続するリビングや居間とは限らず、これら以外の場所になることがある。特に近年流行の対面式のキッチンユニットにおいては、もともと台所等ではなかった箇所にも新たなキッチンユニットが取り付けられる場合がある。また、上記第２の壁Ｄ２が存在しないような場所でも新たなキッチンユニットが取り付けられる場合がある。このような場合において、床下に通された水道管Ｗｎや排水管Ｈｎ等の配管類（或いは連結管Ｒ）を所定箇所まで連結環Ｒにより連結して引き出す。引き出したところで、上記スペーサＰ１Ａ，Ｐ１Ｂ，Ｐ１Ｃは、連結管Ｒにより連結される新しいキッチンユニットＳｎの水道管Ｗｍ、排水管Ｈｍ、ガス管Ｇｍを覆い隠す（図１３）。すなわち、新しいキッチンユニットＳｎ側の正面板Ｓｓ２に沿うようにして立ち上げ、この正面板Ｓｓ２と隣り合わせになる新しいキッチンユニットＳｎと連結させる。なお、上記正面板Ｓｓ２を使用せずに、上記水道管Ｗｍ、排水管Ｈｍ、ガス管Ｇｍを新しいキッチンユニットＳｎに沿うようにして立ち上げることも可能である。大、中、小のものを用意しておけば、上記第２のスペースユニットの奥行き（正面板と正面板の間の間隔）を簡単に変えつつ、その所定の大きさのスペーサＰ１Ａ，Ｐ１Ｂ，Ｐ１Ｃを基準にして、これに沿わせるように正面板Ｓｓ２，Ｓｓ３、天板Ｓｔ２や側面板Ｓｒ２を順次取り付ければ、誰もが正確に容易にそして早く第２のスペースユニットを取り付けることができる。
【００４１】
（第３の実施の形態）
本実施の形態は、上記第２の実施の形態の第２のスペースユニットＳｔ２，Ｓｒ２，Ｓｓ２に対して棚Ｔを加えたものである。図１６は、新しいキッチンユニット（対面式）Ｓｎを所定位置に備え付けるに際して、第２のスペースユニットの正面板Ｓｓ２と側面板Ｓｒ２等を組み立てて、管類を取り付けた状態の図である。図１８と図１９は、棚を加えた第２のスペースユニットの取り付け方を説明する図である。
棚Ｔは、左右一組の棚台Ｔ１，Ｔ１と、第２の天板（中間天板）Ｓｔ２２と奥板Ｔａとにより構成されている（図２３、図１７）。また、必要に応じて調整用背板Ｔｂを使用する。左右一組の棚台Ｔ１，Ｔ１は、奥板Ｔａを有する断面コ字状のもので、奥板Ｔａの先端部Ｔａ１が突出して、第２の天板（中間天板）Ｓｔ２２に形成されたガイド溝Ｓｔｗに沿って移動する構成である。中間天板Ｓｔ２２には、左右一組の棚台Ｔ１，Ｔ１が、それぞれ棚台Ｔ１から下方向に突出した奥板Ｔａを介してガイド溝Ｓｔｗに移動自在に取り付けられ、左右一組の棚台Ｔ１，Ｔ１の間には、調整用背板Ｔｂが同じくガイド溝Ｓｔｗに取り付けられている（図１６）。調整用背板Ｔｂは、第２のスペースユニットの天板Ｓｔ３の長さに合わせて、現場で適宜調整用背板Ｔｂの長さを加工する。左右一組の棚台Ｔ１とＴ１を合わせた長さが、天板Ｓｔ３の長さに対応していれば、調整用背板Ｔｂは、なくしてもよい。このようにして、棚Ｔの長さを決定してから、これに合わせて２枚の正面板Ｓｓ２，Ｓｓ３や第１と第２の天板Ｓｔ２２，Ｓｔ３の長さを決定して、短くなる場合はこれらを切断する。したがって、台所や居間の部分をリフォームする際に、これらの部屋の実情に合わせて第２のスペースユニットＳｔ２２，Ｓｓ２，Ｓｓ３等の大きさを調節することができる。そして、天板Ｓｔ３を取り付ければ、第２のスペースユニットとなる（図１９）。なお、上述した第１の実施の形態にも、上記棚Ｔを加え、この棚Ｔの長さを調節するとともに、これに合わせて天板Ｓｔ１や正面板Ｓｓ１の長さを調節することもできるものである。
【００４２】
ここで、コ字状のスペーサＰ１（Ａ〜Ｃ）は柔軟に対応して種々の取り付け方があるが、一方の側面板Ｓｒ２２の側の下方のスペーサＰ１Ｃは、その中央の連結部分Ｐｅを下、つまり床面Ｆａと接触するようにしたり、第２の壁Ｄ２に対して接触するコ字状のスペーサＰ１Ａは、その中央の連結部分を横、つまり第２の壁Ｄ２と接触するように取り付けることが可能である。中央の連結部分Ｐｅを床面Ｆａや第２の壁Ｄ２とねじやビスで固定したり、接着剤で固定することが行い易くなるからである。そして、上記天板Ｓｔ１や正面板Ｓｓ１の長さ調節の際の仮位置固定に際しても、その役割を十分に果たす歯こととなる。
【００４３】
以上、本実施の形態では一戸建て住宅の台所のリフォームについて説明したが、マンションの台所等にも適用可能なものである。また、台所のリフォームに際して新しいキッチンユニットＳｎを取り付ける例で説明したが、壁や柱等にスペースユニットＳｓ，Ｓｔ，Ｓｒ（正面板Ｓｓ、側面板Ｓｒ、天板Ｓｔのうちのいずれか一つの取り付けでも良い。）を取り付けるリフォームにも適用可能である。また、壁や柱等がない箇所に単にスペースユニットＳｓ，Ｓｔ，Ｓｒ（正面板Ｓｓ、側面板Ｓｒ、天板Ｓｔのうちのいずれか一つの取り付けでも良い。）を取り付けるリフォームにも適用可能である。このように、本発明は、その趣旨を逸脱しない範囲で適宜変更が可能であることは言うまでもない。
【符号の説明】
【００４４】
Ｄ  台所の壁（第１の壁）
Ｋｎ  古い台所ユニット（キッチンユニット）
Ｓｎ  新しい台所ユニット（キッチンユニット）
Ｓｔ  天板（スペースユニット）
Ｓｒ  側面板（スペースユニット）
Ｓｓ  正面板（スペースユニット）
Ｓｔ１  天板（第１のスペースユニット）
Ｓｒ１  側面板（第１のスペースユニット）
Ｓｓ１  正面板（第１のスペースユニット）
Ｓｔ２，Ｓｔ３，Ｓｔ２２，Ｓｔ２３  天板（第２のスペースユニット）
Ｓｔ２２  第２の天板（中間天板）
Ｓｒ２，Ｓｒ２２  側面板（第２のスペースユニット)
Ｓｓ２，Ｓｓ３，Ｓｓ２２，Ｓｓ２３  正面板（第２のスペースユニット)
Ｐ１，Ｐ１Ａ，Ｐ１Ｂ，Ｐ１Ｃ  コ字状のスペーサ
Ｐ２  Ｌ字状のスペーサ
Ｐａ  コ字状のスペーサの一方辺
Ｐｂ  コ字状のスペーサの他方辺
Ｐｅ  コ字状のスペーサのコ字状の中央連結部分
Ｐｎ  Ｌ字状のスペーサの短辺側の一辺
Ｐｎ  Ｌ字状のスペーサの長辺側の一辺
Ｒ  連結管
Ｇｍ，Ｗｍ，Ｈｍ  配管類
Ｗｍ  水道管
Ｇｍ  ガス管
Ｈｍ  排水管
Ｔ  棚
Ｔ１  棚台
Ｔａ  奥板
Ｔａ１  奥板の先端
Ｓｔｗ  ガイド溝、
【図１】
2012157707.tif 000003
【図２】
2012157707.tif 000004
【図３】
2012157707.tif 000005
【図４】
2012157707.tif 000006
【図５】
2012157707.tif 000007
【図６】
2012157707.tif 000008
【図７】
2012157707.tif 000009
【図８】
2012157707.tif 000010
【図９】
2012157707.tif 000011
【図１０】
2012157707.tif 000012
【図１１】
2012157707.tif 000013
【図１２】
2012157707.tif 000014
【図１３】
2012157707.tif 000015
【図１４】
2012157707.tif 000016
【図１５】
2012157707.tif 000017
【図１６】
2012157707.tif 000018
【図１７】
2012157707.tif 000019
【図１８】
2012157707.tif 000020
【図１９】
2012157707.tif 000021
【図２０】
2012157707.tif 000022
【図２１】
2012157707.tif 000023
【図２２】
2012157707.tif 000024
【図２３】
2012157707.tif 000025